(57)【特許請求の範囲】
【請求項１】
上側表面（３６）が電池の前面となる第一の透明な前薄板（２）と、
透明または不透明とすることができ、下側表面（３４）が電池の裏面となる第二の後薄板（４）とを含み、
前記両薄板（２、４）はそれぞれその向かい合った面に少なくとも１つの電極（６、８）を有し、これらの電極（６、８）は電源または制御回路に接続されるようになっており、電池の周辺部の異なった位置に横面電気接点領域（２２）を形成するように前記電極（６、８）が堆積している前記両薄板（２、４）の縁と部分的に同一平面になっており、
前記薄板（２、４）は、光電的または電気光学的活性媒体を封入するための容積（１６）を区画する密閉枠（１４）によって間隔を置かれており、また
各電極（６、８）と前記電源または制御回路間の電気的接続を確立するための電気的接続手段（２４）を含んでいる電気光学電池であって、
前記接続手段（２４）が、接点パッド（２６）が堆積された電極（６、８）、この電極（６、８）に向かい合ったそれぞれの薄板（４、２）、電極が堆積している前記薄板（２、４）の縁と同一平面になっている横面電気接点領域（２２）の位置で各電極（６、８）上に付加される電気伝導性物質でできた接点パッド（２６）を含み、上記接点パッド（２６）が、前記密閉枠（１４）と各薄板（２，４）の前記縁とで区画された容積を満たすことを特徴とする電池。
【請求項２】
前記薄板（２、４）は、互いに同一で、上下に重なるよう配置されていることを特徴とする請求項１に記載の電池。
【請求項３】
前記接点パッド（２６）が導電性粒子を含む合成接着性物質でできていることを特徴とする請求項１または請求項２のいずれか１項に記載の電池。
【請求項４】
前記導電性粒子を含む合成接着性物質がエポキシ接着剤であることを特徴とする請求項３に記載の電池。
【請求項５】
前記電気的接続手段（２４）がさらに電気的伝導性の材料ででき、かつ前記横面電気接点領域（２２）のその位置で各薄板（２、４）の縁に取付けられた電気接点部（２８）を含み、該接点部（２８）が前記電池（２０）の前面または裏面（３４、３６）の一方への電気接点の移転を実現することを特徴とする請求項１ないし４のいずれか１項に記載の電池。
【請求項６】
上側表面（３６）が電池の前面となる第一の透明な前薄板（２）と、
透明または不透明とすることができ、下側表面（３４）が電池の裏面となる第二の後薄板（４）とを含み、
前記両薄板（２、４）はそれぞれその向かい合った面に少なくとも１つの電極（６、８）を有し、これらの電極（６、８）は電源または制御回路に接続されるようになっており、電池の周辺部の異なった位置に横面電気接点領域（２２）を形成するように前記電極（６、８）が堆積している前記薄板（２、４）の縁と部分的に同一平面になっており、
前記薄板（２、４）は、光電的または電気光学的活性媒体を封入するための容積（１６）を区画する密閉枠（１４）によって間隔を置かれており、また
各電極（６、８）と前記電源または制御回路間の電気的接続を確立するための電気的接続手段（２４）を含んでいる電気光学電池であって、
前記接続手段（２４）が、電極が堆積している前記薄板（２、４）の縁と同一平面になっている横面電気接点領域（２２）の位置で各電極（６、８）上に付加される電気伝導性物質でできた接点パッド（２６）を含み、かつ前記横面電気接点領域（２２）の前記接点パッド（２６）の位置で各電極（６、８）の縁に取付けられた電気接点部（２８）を含み、該接点部（２８）が前記電池（２０）の前面または裏面（３４、３６）の一方に延長して電気接点の移転を実現することを特徴とする電池。
【請求項７】
前記接点部（２８）が、直角に配置された２つのアーム（３０、３２）を持つ方形であることを特徴とする請求項５または請求項６のいずれか１項に記載の電池。
【請求項８】
前記接点部（２８）の前記アーム（３０、３２）の一つが舌状部（４２）によって置き換えられたことを特徴とする請求項７に記載の電池。
【請求項９】
前記接点部（２８）の膨張率が前記薄板（２，４）の膨張率に合致していることを特徴とする請求項６ないし請求項８のいずれか１項に記載の電池。
【請求項１０】
複数の電気光学電池を一括して製造するための方法であって、少なくともその１つは透明である２枚の大きなガラスまたは合成物質の板が調製され、次に、これらの板上に電極及び導体通路が造られ、前記板は数列の電気光学電池を含む組立体を形成するように互いに重なり合うように組み立てられ、次に、各電気光学電池が高圧水ジェットまたはレーザービーム手段を使って分割される方法において、
前記電気光学電池の分割の前に、前記電気光学電池の前記薄板（２、４）上の各電極（６，８）の延長に電気伝導性物質を堆積させることによって、前記電気伝導性物質の堆積（４８）が前記電気光学電池の最終的外形の範囲を僅かに越えるようし、各電極（６，８）が延長されることを特徴とする前記請求項１ないし９のいずれか１項に記載の電池の製造方法。
【請求項１１】
前記横面電気接点領域（２２）が真空蒸着により金属被覆されるかまたは電気伝導性物質の層によって覆われていることを特徴とする請求項１０に記載の方法。
【請求項１２】
ガラスと裏蓋によって密閉されその中に時計装置の機械部が収納されているケースを含む時計であって、前記時計が請求項１から９記載のいずれか一項に記載の電気光学電池を前記時計装置の機械部、及び／または情報提示用の電気光学的表示装置の前記電源のエネルギー源として用いることを特徴とする時計。
【発明の詳細な説明】
【０００１】
【発明の属する技術分野】
本発明は、特に時計用の電気光学電池、特に液晶電池、または改良された電気化学光電池に関し、さらに詳細には、電池の電極と電源または制御回路間の電気的接続を確立するための接続手段に関する。本発明はまた前記電池の製造方法に関する。
【０００２】
【従来の技術】
光電池の第一の範疇は、半導体の接合部に現れる光電池効果を利用することによって光を電気に変換するものである。半導体物質は光吸収及び生じた電荷（電子及び正孔）の分離の機能を同時に満たす。電子と正孔が分離できるようになる前に再び結合してしまうことのないように、この物質は高度の純度を有し、かつ欠陥があってはならず、製造費用が高くつく。
【０００３】
本発明は、電気化学電池と呼ばれる第２のタイプの光電池を対象とし、その概略図が本出願に添付する図１に示されている。
通常の引用数字１によって全体を示されているこの様な電池は、第１の透明な前ストリップ( strip：以下、薄板という）２及びやはり透明な後薄板４を含んでいる。これらの２つの薄板２および４は、それらの向かい合った面上に、対向電極とも呼ばれる第一電極６及び光電極とも呼ばれる第二電極８を含んでいる。これらの電極６及び８は、通常インジュウム／亜鉛または亜鉛酸化物／アンチモニー混合物の薄い層の形で作られている。
【０００４】
さらに、薄板４は層１０を含んでいる。この層１０は、多孔構造１２で形成され、例えば二酸化チタンＴｉＯ2のような活性半導体酸化物の粒子で形成され後述する役割を持つ、大きな有効表面を有するものである。
薄板２及び４は、その周辺部に沿って延び、レドックスカップル( redox couple )体のヨウ化物三ヨウ化物Ｉ-／Ｉ3-の様な仲介物質を含む電解質１８で満たされた容積１６を画定する密閉枠１４によって互いに結合される。
【０００５】
層１０を構成する酸化チタンＴｉＯ2は、通常はその禁止帯の幅のために可視光線に対し感応性がなく、紫外線近傍でのみ吸収を始める半導体である。この場合、特にルテニウムやオスミウムなどの遷移金属の複合化合物のような着色剤を吸着させることにより感度を増し、それによって入射光子／電子の変換率をあるレベルに増加させることができる。図１に矢印によって表されている光の吸収は、半導体物質層１０の表面で化学的に吸着された着色剤によって確実なものとなる。光子の吸収によって励起された後は、着色剤は電子を層１０の半導体の導電帯へと転送することができる。半導体層１０内部に存在する電界によって、この電子を抽出することが可能となる。電子の転送後は、着色剤は元の酸化状態に戻る。導電帯中の電子と酸化着色剤上の正孔との間の再結合は、仲介物質による酸化着色剤の還元より遥かに遅い。したがって電荷の分離が有効になる。酸化仲介物質は対向電極６にて還元される。
【０００６】
本発明はまた、いわゆる電気光学表示電池、特に液晶電池をも対象とし、これは光電池と同様に、
上表面が電池の前面を構成する第一の透明な前薄板と、
下表面が電池の後面を構成する第２の後薄板を備え、
各薄板はその向かい合った面に少なくとも１つの電極を有し、これらの電極は表示装置制御回路に接続されるようになっており、また電池の周辺部の特定の位置に接点領域を決めるように対応する薄板の縁と部分的に同一平面になっており、
薄板は、光学的活性媒体を封入するための容積を区画する密閉枠によって間隔を置かれており、また
各電極と前記表示装置制御回路の間の電気的接続を確立するための接続手段、を含んでいる。
【０００７】
これまでに説明した種類の電気化学電池の分野で常にある問題は、電池の電極と電源回路間の信頼できる電気的接続を確立するために用いられる接続手段にあった。この問題はまた、電池の電極を、電池の薄板間に封入される物質の電気光学特性を修正する電気的制御信号を発生する装置に接続しなければならない電気光学表示装置電池にも生じる。
【０００８】
出願人は既にこの問題に対する回答を、出願人のフランス特許ＦＲ−Ｂ１−２６３７１１０において改良された電気光学電池として提示しており、そこでは、２つの電池の薄板のそれぞれがその全表面を覆った透明な電極を有し、この電極は、横面電気接点領域を決めるために電極がその上に堆積された、薄板の縁と部分的に同一平面になっていた。この特許では接続手段は、接点領域のその位置で、各薄板の縁上に付加され、電池の電気制御回路との電気的接続を確実にする、電導性粒子を含ませた粘着性合成物質でできた接点パッドを含んでいる。
【０００９】
使用する間に、この接続技法はそれでも幾つかの欠点を示した。一方で、電池の薄板は、電極へのアクセスを容易にし電気的接続をするために相互にずらして配置しなければならない。その様な配列は、特に電池が円形であるとき、電池の連続製造を困難にし、余分な時間のかかる操作を必要とする。
他方で、前記したことを思い出すと、電極と制御回路間の接続は、電池の各電極はそれが堆積された薄板の縁と同一平面になっている電気接点領域を介してなされる。この接点領域の厚さは大変小さく、一般的には数千オングストロームのオーダーである。こうして電極と接点パッド間の電気的接触あるいはとりわけ機械的接続の断絶の問題が生じてくる。
【００１０】
さらに、腕時計などの時計は、前記のような形式の電気化学光電池が光を十分に浴びるように以前からガラスの下に配置してある。可視光線の電流への変換によって、光電池は電気回路を介して時計の測時手段へ動力を供給する。
時計のガラスの下側に配置されるので、光電池は時計の文字盤同様に時間指示器（長短針など）をも覆っている。それでも、この電池は見かけ上透明であるので、指示器や文字盤は電池を通して見える。
【００１１】
しかし、電池の周辺部の２つの異なった場所に配置された電気化学電池の電気的接続は、人が時計ガラス越しに見たとき外部から見えないようにするためにマスクをしなければならない。この問題を解決するための既知の唯一の解決法は、電極をマスクするためにベゼルのサイズを大きくすることであり、その結果ガラス及び文字盤の有用な表面を減少することになり、このことは時計の美しい外観を損ない、文字盤上に表示される情報を読み取り難くするものである。別の解決法は光電池の大きさを減少することにあるが、これはその効率を損なうものである。
【００１２】
別の解決法は、第１の前透明板１ａ及び第２のやはり透明な後板１ｂを含む液晶電池に関する日本公開特許出願第６１−２０１２８９号で知られている。これらの２つの板１ａ及び１ｂそれぞれは、その互いに向かい合った表面に１組の電極それぞれ２ａ及び２ｂを含んでおり、その電極は電気接点領域を形成するために電極がその上に堆積された板の縁と同一面になっている。小球またはガラス繊維などのスペーサが、電池全体の表面の液晶層の厚さを一定に保つために２つの板１ａ、１ｂ間に散布配置されている。コネクタは柔軟な絶縁フィルム３ａによって作られ、フィルムには粘着性を持つ電導性インク４が印刷されている。インク４は電池の縁に沿って同一平面になっている透明な電極と同一ピッチを有するほぼ矩形状の薄板にしたがって印刷される。導電性の薄板の間に、印刷表面が平面になるように粘着性を持つ絶縁インキが印刷される。その後、接続フィルム３ａは圧力によって電池の縁に対し固着され、それらのシールを形成する。この作業の間に電導性インキ４は、電池の電極と導電性薄板の間に電気的接続が確立されるように、電池の板１ａ、１ｂ間に僅かに浸透する。柔軟な接続フィルム３ａが電池の縁に取付けらられた後、板１ａまたは１ｂの一方に設けられた充填開口を通してもしくは柔軟な接続フィルム３ａがまだ電池の縁に固着されていない場所において、液晶５が２つのガラス板１ａ、１ｂ間の間隙に注入される。その後、前記の電池の縁に固着された接続フィルム３ａを備えた液晶電池が得られるように、充填開口がシールされる。
【００１３】
上に説明した電池は以下の欠点を有する。一方で導電性インキが直接に液晶と接触し、それによって前記液晶を汚染して電池の性能を損なうという無視できないリスクがあることに注目すべきである。他方、その様な方法では、電池をバッチで製造することができない。確かに、従来の液晶電池の場合には、密閉枠によって電池の２つの基板が互いに固着され、電池は容易に取り扱えるようになった。とりわけ、電池を液晶で満たす作業は電池がまだ1つの薄板になっているとき、すなわち個々に分割されていないときに行うことができる。しかし、前記の日本特許出願の場合、互いに固着されていない２つの板は、接続フィルムが前記板の縁に固着されるまで、お互に対して正しい位置に保持されなければならない。
【００１４】
【発明が解決しようとする課題】
そこで本発明は電気光学電池、特に液晶電池または電気化学光学電池に関するものである。
【００１５】
【課題を解決するための手段】
本発明による電池は、
上表面が前記電池の前面を構成する第一の透明な前薄板と、
透明または不透明とすることができ、その下表面が前記電池の後面を構成する第二の薄板とを含んでおり、
薄板はそれぞれその向かい合った面に少なくとも１つの電極を有し、これらの電極は電源または制御回路に接続されるようになっており、また電池の周辺部の異なった位置に横面電気接点領域を形成するように対応する薄板の縁と同一平面になっており、
薄板は、光電的または電気光学的活性媒体を封入するための容積を区画する密閉枠によって間隔を置かれており、また
各電極と前記電源または制御回路の間の電気的接続を確立するための電気的接続手段を含んでおり、
前記接続手段が、各電極がそれに向かい合う薄板とで画定する空洞の容積を満たし、横面接点領域の表面積を増加させるために、電極がそれが堆積している薄板の縁と同一平面になっている横面接点領域における各電極上に付加される電気導電性物質でできた接点パッドを含むことを特徴とするものである。
【００１６】
本発明の特徴の結果として、電池の各電極がそれを介して電源または制御回路に接続される横面電気接点領域の表面積を増加することが可能になる。電極と電源または制御回路との電気的接続は、こうして遥かに信頼性のあるものとなる。
【００１７】
本発明の別の有利な特徴に従えば、光電池または電気化学電池の電気的接続手段は、各電極がそれが堆積している薄板と同一平面になっている電気接点領域のその位置に取付けられた接点部を含み、この電気接点部分が電池の前面または後面の１つへの電気接点の移転を実現している。
【００１８】
こうして例えば、電極と電源回路の間の電気的接続を確立することを目指す接続手段を電池の後面に移した電気化学光電池の製作が可能になる。電池の密閉枠と電池の後面への接点の移転により、先行技術におけるように横方向にずらすことなく重ね合わせられる。電池の密閉枠をマスクしようと意図する時計のベゼルあるいはその他の手段は、その電気的接点領域をマスクする。ガラスの寸法、したがって時計の文字盤の寸法も大きくすることができ、このことは時計の美的外観及びその文字盤上の情報の読み取り易さに関して有利である。同様に、光電池を大きくすることができ、そのことでその効率が増加する。最後に、電池の薄板をずらして配置する必要がない。したがって、電池のスペースの要求が減少し、このことがそれを特に時計に取り付けることを容易にする。その様な電池の製造は一括して行うことができ、大規模生産の結果その原価を減少することができる。
【００１９】
別の態様に従えば、本発明はまた前記の電池の製造方法に関し、そこでは、電池の分割に先立って、電池の電極のそれぞれが電気導電性物質の堆積により前記電池の最終的な外形の範囲を僅かに超えるように延長されている。
本発明の製造方法の１態様に従えば、横面電気接点領域は、電気接点部分が後で取付けられる位置に、真空蒸着により金属被覆されるかまたは電気伝導性物質の層によって覆われる。
【００２０】
本発明の別の目的は、電源回路を介して特に時計の測時手段及び／または情報提示用の電気光学表示電池を供給することを意図した本発明による電気化学光電池を含む時計を供給することである。
本発明の他の特徴及び利点は、純粋に例示のためであって非限定的な例として示される以下の本発明の実施形態の説明を読めばさらに明瞭になろう。この説明は添付の図面と関連させてなされる。
【００２１】
【発明の実施の形態】
先ず第一に注目されるのは、本発明は電気化学光電池を引用して説明しているが、これまでに説明したタイプの電気光学表示電池に同一の方法で適用できることである。
さらに、本発明による電池の電極の数は２つに限られず、電池の各薄板は選択された構成にしたがって選択的に堆積された複数の電極を含むことができる。
【００２２】
さて図２を参照すると、これは普通の引用数字２０によって全体を示す本発明による電気化学光電池の拡大横断断面図である。
以下の説明において、前に説明したものと同一の要素は同一の引用数字によって示される。
【００２３】
電池２０は従来と同様に、透明な第一の前薄板２及び透明にすることもできる第二の後薄板４を含む。薄板２及び４は、レドックスカップルヨウ化物三ヨウ化物Ｉ-／Ｉ3-の様な仲介物質を含む電解質１８を封入する容積１６を区画する密閉枠１４によって互いに結合される。薄板２及び４はそれぞれ、向かい合った面に対向電極とも呼ばれる第一電極６及び光電極とも呼ばれる第二電極８を含んでいる。薄板４はまた従来と同様に半導体物質の層を含んでいて、その表面には前記半導体の感度を増すねらいで着色剤が吸着されている。これらの層は分かり易くするという理由で図２には示されていない。
後薄板４上に堆積された光電極８の電気接続は後で説明する。本発明が前薄板２上に堆積した対向電極６にも同様に適用できることは言うまでもない。
【００２４】
光電極８は横面電気接点領域２２を形成するために薄板４の縁と部分的に同一平面になる。本発明によれば、光電極８と電源回路（図示せず）との間の電気的接続を確立するための電気的接続手段２４は、光電極８がそれが堆積している薄板４の縁と同一平面になっている電気接点領域２２のその位置で光電極８の表面に固着された電気接点パッド２６を含む。この電気接点パッド２６は導電性粒子を含ませたエポキシ接着剤のような合成接着物質によって形成することができる。電気接点パッド２６は、電極８がそれに向かい合う前薄板２とで形成される空洞の容積を満たすことによって、電気接点領域２２の表面積を実質的に増加させ、それで光電極８と電源回路の間の電気的接続がより信頼性があるものになりかつ高レベルの導電性を有する。さらに、もはや電池２０の２つの薄板２及び４を互い違いに配置する必要が無く、これらの薄板２、４は同一で、上下に重なり、互いに重複していて良い。したがって、その様な電池では、特にそれらが円形の場合製造が非常に単純になり、その製造原価の顕著な低減が得られる。その上、電池の必要スペースが減少し、そのことが、特に時計の場合、その組み込みを容易にする。
【００２５】
本発明による電池の薄板がそれぞれ複数の電極を含んでいる場合、密閉枠は、導電性接着剤が横へ広がって近傍の電極と短絡するのを防止するために、各電極がそれが堆積している薄板の縁と同一平面になっている電気接点領域のその位置で垂直な仕切り用隔壁を形成するように、延長することができる。
【００２６】
本発明の他の態様によると、電気的接続手段２４は、電気接点領域２２のその位置で薄板４の縁の上に固着された電気接点部２８によって完成する。電気接点部２８は一般的に直角に配置された２つのアーム３０及び３２を持つ方形をしており（図３参照）、それが電池２０の裏面を形成する薄板４の下表面３４上への電気接点の移転を実現する。こうして本発明の結果として、電極６及び８の電気的接続は電気化学電池２０の裏面へ移され、もはや電池の側面には形成されず、そのことにより前記電池２０の横面の形態上の必要スペ−スは実質的に減少する。電気的接点を同様にして電池２０の前面を形成する前薄板２の上表面３５に移すことができることは言うまでもない。
【００２７】
電気接点部２８は金属または金属合金でできており、電気を通しかつその膨張係数は薄板２及び４の膨張係数に合致していることが望ましい。それは、銀または類似のものの導電性粒子を含むエポキシ接着剤の層４０によって薄板４の縁に結合される。図４に示される別の実施形態によれば、接点部２８のアーム３０は取り付けに先立ってエポキシ接着剤の適量がそれぞれの上に盛られた舌状部４２によって置き換えられる。
また、電気接点部２８は、横面電気接点領域２２で薄板４の縁上に位置する単純な薄板の形状（図示せず）に成形することもできる。
光電極８を電源回路に接続するための電気導線４６の末端は電気接点部２８のアーム３２に固定される。
【００２８】
複数の電気化学光電池を一括して製造するために現在使用される方法では、少なくともその１つは透明である２枚の大きなガラスまたは合成物質の板が調製される。次に、これらの板上に電極及び導体通路が造られ、それからシール材が板の一方に盛られ、前記シール材は板と共に電解質の封入容積を決めるようになっている。板は数列の開口電池を含む組立体を形成するように互いに重なり合うように組み立てられる。各電池は充填開口を有しているので、電池は電解質を充填され、それから前記充填開口は密閉される。もし電池の輪郭が円形でなければならないのであれば、電池は高圧水ジェット、レーザービームまたは他の適切な手段を使って切断されることができる。１組の電池はまた平行な直線に沿ってガラスの刻入れ及び破壊技術によって、矩形板( rectilinear strips )に分割することができる。
【００２９】
本発明による方法によれば、図５に示すように、電気化学電池２０用の製造方法が提示されており、そこでは電池２０を分割する前に電池２０の各電極６，８は、導電性粒子を含むエポキシ接着剤のような電気的伝導物質の堆積４８によって前記電池２０の最終的な外形の範囲を僅かに超えて延長される。その後、電池２０は前記の技術によって分割され、それらは電池２０の薄板２、４の縁と同一平面の電気接点パッド２６を有し、電池２０の電極６及び８と本発明による接続手段２４との間の横面電気接点領域２２の表面積を増大することができる分割された電池２０が得られる。
【００３０】
図５によって示されるように、電池の電極のそれぞれがそれが堆積している薄板の縁と同一平面になっている横面接点領域は、電極間の短絡のリスクを防止するために上下に重ならずに、電池の周囲に沿って角度がずれている。
【００３１】
本発明の製造方法の別の態様によれば、電気接点領域２２は  真空蒸着により金属被覆されるかまたは導電性粒子を含むエポキシ接着剤のような電気的伝導性物質の層によって覆われる。接点領域２２の表面の状態はこの様に優れているので、接点部２８と密接に接触できる。
【００３２】
本発明の別の目的は、従来と同様にガラスと後蓋によって密封されたケースを含み、エネルギー源として本発明による電気化学光電池、及び／または情報提示用の電気光学表示電池を用いる時計を供給することである。上記より理解されたであろうように、電気化学電池は光を特に、電源回路を介して時計の測時手段に供給する電流に変換することができる。本発明による電気化学電池は特に、例えば接着剤によってガラスの裏面に接合することによって、ガラスと時計の文字盤の間に配置することができる。
種々の簡単な修正及び変更は本発明の範囲に含まれることは言うまでもない。
【図面の簡単な説明】
【図１】  既に説明した、従来の電気化学光電池の概略横断面略図である。
【図２】  本発明による電気化学光電池の横断面図である。
【図３】  本発明による電気接点部の斜視図である。
【図４】  本発明による電気接点部の斜視図である。
【図５】  分割前の１つのバッチをなす電気化学光電池の平面図である。
【符号の説明】
２  前薄板
４  後薄板
８  電極
１４  密閉枠
１６  容積
１８  電解質
２０  電池
２２  電気接点領域
２４  電気的接続手段
２６  電気接点パッド
２８  電気接点部
３０、３２  アーム
【図１】
0004777514.tif 000002
【図２】
0004777514.tif 000003
【図３】
0004777514.tif 000004
【図４】
0004777514.tif 000005
【図５】
0004777514.tif 000006